Podtech/llm-jp-corpus-v4-ja_patent huggingface dataset:
(57)【要約】【課題】  寝たきりで寝返りもうてない病人が、１点に体重がかかりはげしい床擦れができる。体重の重心を変え床擦れを防ぐのが目的である。【解決手段】  床面を１／４円の円弧にすることで、軽い力で病人の体にかかる重心の位置を変えられるようにした。【選択図】図１
2007111477.tif 000002
【特許請求の範囲】
【請求項１】
従来の平面の敷布団やベッドの床面（１）を，１／４円の円弧（２）にした。
【発明の詳細な説明】
【発明の詳細な説明】
【技術分野】
【０００１】  この発明は敷布団を敷く床面に関するものである。
【背景技術】
【０００２】  従来の技術は敷布団やベッドの改良である。
平面では寝返りのうてない病人の重心はどうしても１点に集中し床擦れの原因となっていた。
【発明が解決しようとする課題】
【０００３】本発明は、その欠点をなくすために、床面を１／４円の円弧にすることにより寝たきりの病人の重心の位置を変えることにより床擦れを防ごうとするものであります。
【課題を解決するための手段】
【０００４】床面を円弧にすることにより寝たきりの病人の体に触れることなく人体の重心を変えることができて床擦れを軽くすることが出来ます。
看護人の労力も減り腕力の残る病人は自力でも動かされ又電動にすることも可能です。
【発明を実施するための最良の形態】
【０００５】本発明を実施するためには、床面の１／４円の円弧の枠を３〜４枚作ります。
その材質は木材でも金属でもよく、形状は半径６４ｃｍの１／４円で長さ１．０ｍ、幅５０〜８０ｍ程度とし、その上に（１００×１８００×１２）程度の板材かカーブコンパネを張ることにより床面を作ります。
【発明の効果】
【０００６】本発明に適度の高さの脚をつけることによりベッドにもなりますが、本来病人の体の重心を変えることが目的のため、この発明の主眼は円弧の床面であります。
１／４円の円弧にすることにより、断面図でわかるように上をむいて寝ている病人の重心の位置は背骨から肩甲骨のあたりへ移動いたします。
そのことにより長時間重心が１点にかかることなく病人の床擦れを防止いたします。
【図面の簡単な説明】
【図１】本発明の断面図（水平な状態）
【図２】重心移動時の断面図
【図３】脚をつけたベッドの断面図
【図１】
2007111477.tif 000003
【図２】
2007111477.tif 000004
【図３】
2007111477.tif 000005
(57)【要約】【課題】  スリッパを履いての歩行時におこる、カカト部分が足から放れ落ち床をたたき、足からずれて歩きにくいという不都合を解決すること。【解決手段】スリッパのソールに、カカト部分を持ち上げるための、板バネを取り付けることにより、この課題を解決する。【選択図】    図１
2007111473.tif 000002
【特許請求の範囲】
【請求項１】
ソールにカカト部を持ち上げるための上方に曲がった板バネを取り付けたスリッパ。
【発明の詳細な説明】
【技術分野】
【０００１】本発明は、スリッパに関するものであり、スリッパのソールに工夫を加える事によって、歩行時の音を和らげ、ズレを防止できるようにしたものである。
【背景技術】
【０００２】  従来から上履きとしてスリッパが利用されている。
【発明の開示】
【発明が解決しようとする課題】
【０００３】しかし、従来のようなスリッパでは、歩行時にカカト部分が足から放れ落ちてしまい床をたたく音が大きくなり、足からずれて歩行しにくい、本発明は、このような不都合を解決することを課題とする。
【課題を解決するための手段】
【０００４】この課題を解決するための請求項１の発明は、ソールにカカト部を持ち上げるための上方に曲がった板バネを取り付けたことを特徴とするスリッパである。歩行時にカカト部が足から放れ落ち、足からずれることを板バネによって防止できる。
【発明の効果】
【０００５】本発明により、スリッパでの歩行時にカカト部で床をたたく音が大きく、足からずれて歩行しにくいという不都合はおきない。
【発明を実施するための最良の形態】
【０００６】図１はスリッパのソールにカカト部を持ち上げるための、上方に曲がった板バネを取り付けたものの断面図である。同図に示すように床から足が上がる時、板バネが反発しソールのカカト部分を持ち上げるため、歩行時に床をカカト部でたたく音や、足からずれることを防止できるものである。【０００７】これらのスリッパは通常のものでよい。
【産業上の利用可能性】
【０００８】本発明に係るスリッパは、工業的に量産する事が可能であるため、産業上の利用可能性を有する。また、他にサンダル等にも使用する事ができる。
【図面の簡単な説明】
【０００９】
【図１】ソールにカカト部を持ち上げるための、上方に曲がった板バネを取り付けたスリッパの断面図である。
【符号の説明】
【００１０】  １  スリッパ
２  板バネ
【図１】
2007111473.tif 000003
(57)【要約】【課題】従来の流体伝熱では、熱源から、直接、雰囲気中に熱が伝わることが多く、伝熱効率が、悪かった。【解決手段】加熱用容器、放熱用器具の、熱源に触れる側の材質、形状を変更することにより、加熱容器、放熱用器具内に伝わる熱に差を生じさせ、容器、器具付近で対流を促進させることで伝熱効率を上げる。【選択図】  図１
2007111452.tif 000002
【特許請求の範囲】
【請求項１】
被加熱面の被加熱物側に、被加熱面の材料と比熱の異なる材料を用い、被加熱面貫通もしくは、被加熱物に固定、置いた、突起物を擁した容器。
【発明の詳細な説明】
【技術分野】
【０００１】本発明は、伝熱効率向上を図った、流体の加熱容器に関する。
【背景技術】
【０００２】従来の流体加熱容器では、使い易さを主にした外観形状が重視されている。一部では均一に熱が伝わる（例えば、特許文献１参照）又は、被加熱物との伝熱面積を増やす工夫が、されているものがある。（例えば、特許文献２参照）【０００３】
【特許文献１】特許２８７６３９６号公報
【特許文献２】特許公開２００３−９３２３５号公報
【発明の開示】
【発明が解決しようとする課題】
【０００４】以上の従来技術では、熱源から直接、雰囲気中に伝わる熱を、抑制することは考慮されていないため、効率が悪かった。【０００５】本発明は、このような従来の構成が有していた課題を、解決しようとするものである。
【課題を解決するための手段】
【０００６】本発明は、伝熱容器の被加熱物と接する部分の一部に凸状形状を施す、若しくは、同形状物を置く。【０００７】また、第二の解決手段として、凸状物もしくは、容器内に置く、対流促進用の材料は、被加熱面の材料と、材質が異なるものを使用する。【０００８】上記第一の課題解決手段による作用は、対流の流れを、整流することにある。【０００９】また、第二の解決手段による作用は、被加熱面に温度差を生じさせることにある。
【発明の効果】
【００１０】対象被加熱物を、加熱する際に要する熱量が少なくて済む、又、放熱を目的とした場合、短時間に放熱ができる。
【発明を実施するための最良の形態】
【００１１】以下、本発明の実施の形態を図１〜図２に基づいて説明する。【００１２】図においては、１は、被加熱物を入れる容器、２は、被加熱物側に出た複数の突起状物、３は、被加熱物に触れる面、４は、熱源と接する面を表す。５は、２の突起状物が、熱源と接する面に貫通している状態の図を表す。【００１３】以下、上記構成の動作を説明する。熱源より４の面を加熱すると、２と３の材質、形状の違いにより温度差を生じ対流を促進させるとともに、２の突起が対流の流れを整える。同様に容器側面の突起との間でも対流を促進させ、加熱効率を高めることで、短時間に、少ない熱量で目標とする温度まで達せさせられる。
【図面の簡単な説明】
【００１４】
【図１】本発明の実施形態を示す伝熱容器の部分断面図
【図２】突起物が容器を貫通している図
【図１】
2007111452.tif 000003
【図２】
2007111452.tif 000004
(57)【要約】【課題】  体を動かしながらＭＰ３プレイヤーや携帯電話を使用しイヤホンで音楽を聴くときに、イヤホンのコードが邪魔なったり絡まったりしないようにする。【解決の手段】  ネックストラップの首にかかる部分をチューブ状のスパイラル構造にしてＭＰ３プレイヤーや携帯電話に接続するイヤホンのコードをチューブの中に通すことによってコードが邪魔なったり絡まったりしないようにする。また、スパイラル構造なので任意の部分でイヤホンのコードを外から中または中から外にと通すことが出来るので自分の使いやすいようにすることが出来る。【選択図】図１
2007111451.tif 000002
【特許請求の範囲】
【請求項１】
チューブ状のスパイラル構造としたネックストラップ。
【発明の詳細な説明】
【技術分野】
【０００１】  本発明は、ネックストラップに関するものである。
【背景技術】
【０００２】  ネックストラップはＭＰ３プレイヤーや携帯電話を首に掛けるものである。
【発明の開示】
【発明が解決しようとする課題】
【０００３】  体を動かしながらＭＰ３プレイヤーや携帯電話を使用しイヤホンで音楽を聴くときに、イヤホンのコードが邪魔なったり絡まったりしないようにする。【０００４】  本発明は、以上のようないろいろな問題を解決するのが目的である。
【課題を解決するための手段】
【０００５】  ネックストラップの首にかかる部分をチューブ状にしてＭＰ３プレイヤーや携帯電話に接続するイヤホンのコードをチューブの中に通すことによってコードが邪魔なったり絡まったりしないようにする。【０００６】  また、チューブ状の部分をスパイラル構造にするので任意の部分でイヤホンのコードを外から中または中から外にと通すことが出来るので自分の使いやすいようにすることが出来る。
【発明の効果】
【０００７】  ＭＰ３プレイヤーや携帯電話に接続するイヤホンのコードがネックストラップと一体になるので邪魔なったり絡まったりしなくなる。【０００８】  ネックストラップにはＭＰ３プレイヤーや携帯電話を接続できるためさらに邪魔なったり絡まったりしなくなる。【０００９】  ネックストラップの首にかかる部分がチューブ状のスパイラル構造なのでイヤホンのコードの取り回しを各個人で自由にカスタマイズすることが出来る。
【発明の実施するための最良の形態】
【００１０】  以下、本発明の実施の形態を図１〜図３に基づいて説明する。
【００１１】  図１はＭＰ３プレイヤー４ＭＰをネックストラップ１ＮＳに付けイヤホンコード２ＹＫをネックストラップ１ＮＳのチューブ状のスパイラル構造の中を通して途中からイヤホン３Ｙ部分を出している図で、ネックストラップ１ＮＳとＭＰ３プレイヤー４ＭＰとイヤホンコード２ＹＫが一体化するので邪魔なったり絡まったりしなくなる。
【００１２】  図２はネックストラップ１ＮＳのチューブ状のスパイラル構造の一部の図でスパイラル構造なので多少伸びる。
【００１３】  図３はネックストラップ１ＮＳのチューブ状のスパイラル構造の一部にイヤホンコード２ＹＫを通している図で任意の部分でイヤホンコード２ＹＫを外から中または中から外にと通すことが出来るので自分の使いやすいようにすることが出来る。
【図面の簡単な説明】
【００１４】
【図１】  ネックストラップの使用例の図
【図２】  ネックストラップのチューブ状のスパイラル構造の一部の図
【図３】  ネックストラップにイヤホンコードを通している一部の図
【符号の説明】
【００１５】１ＮＳ      ネックストラップ
２ＹＫ      イヤホンコード
３Ｙ        イヤホン
４ＭＰ      ＭＰ３プレイヤー
【図１】
2007111451.tif 000003
【図２】
2007111451.tif 000004
【図３】
2007111451.tif 000005
(57)【要約】【課題】  多種類の薬において多様化した服用時間と薬名を一覧でき、その一覧の薬名に相応する薬を容易に取り出すことができるコンパクトな薬箱の提供を課題とした。【解決手段】  列の見出しに薬の服用時間を記入又は貼付できる枠（１）と行の見出しに薬名を記入又は貼付できる枠（２）と用量を記入又は貼付できる枠（３）とから成るシート（Ａ）と、シート（Ａ）の行の高さに合わせて、薬を入れて置くケースに仕切り（４）を配したケース（Ｂ）とから成る薬箱とした。【選択図】  図１
2007111459.tif 000002
【特許請求の範囲】
【請求項１】
列の見出しに薬の服用時間を記入又は貼付できる枠（１）と行の見出しに薬名を記入又は貼付できる枠（２）と用量を記入又は貼付できる枠（３）とから成るシート（Ａ）と、薬を入れて置くケースにシート（Ａ）の行の高さに合わせて仕切り（４）を配したケース（Ｂ）とから成る薬箱。
【発明の詳細な説明】
【技術分野】
【０００１】  本発明は、薬の服用時間と薬名とを一覧にしたシートとそのシートに相応する仕切りを配した薬箱に関するものである。
【背景技術】
【０００２】  従来、薬を仕分ける薬箱には、特開２００５−０８１０６７では朝・昼・夕の引き出しを設けており、特開２００３−１８０７９８では曜日と日付を配した引き出しを設けており、実開平７−３７０では曜日と朝昼夜で区切られた引き出しを設けており、実用新案登録第３１００９４３号では朝・昼・夕の引き出しが設けられており、実用新案登録第３０８３１３９号では曜日とあさ・ひる・よる・ブランクで仕切られた薬箱であり、実用新案登録第３０６１７８９号では朝・昼・夜・寝る前に区切られた引き出しが設けられている。
【発明の開示】
【発明が解決しようとする課題】
【０００３】  服用時間には、朝・昼・夕・寝る前以外に起床時・毎食直前・痛みのある時など多様化してきており、従来の朝・昼・夕・夜・寝る前などの固定された表示ではブランクがひとつあったとしても服用時間の多様化に対応できなかった。また、曜日毎や日付ごとに区分けできる薬箱は、持ち運びが容易ではなく、かさばるような大きさであった。【０００４】  そこで、本発明は、多種類の薬において多様化した服用時間と薬名を一覧でき、その一覧の薬名に相応する薬を容易に取り出すことができるコンパクトな薬箱の提供を課題とした。
【課題を解決するための手段】
【０００５】  多種類の薬を多様化した服用時間と薬名の一覧を可能にするために、列の見出しに薬の服用時間を記入又は貼付できる枠（１）と行の見出しに薬名を記入又は貼付できる枠（２）と用量を記入又は貼付できる枠（３）とから成るシート（Ａ）を作成した。【０００６】  また、その一覧の薬名に相応する薬を容易に取り出すことができるコンパクトな薬箱を提供するために、シート（Ａ）の行の高さに合わせて、薬を入れて置くケースに仕切り（４）を配した。
【発明の効果】
【０００７】  列の見出しに薬の服用時間を記入又は貼付できる枠（１）と行の見出しに薬名を記入又は貼付できる枠（２）と用量を記入又は貼付できる枠（３）とから成るシート（Ａ）により、様々な服用時間を順番に記載又は貼付することができ、多様化した服用時間にも容易に対応することができた。さらに、シート（Ａ）によりそれぞれの服用時間にどの薬をいくら服用すれば良いかが、一目瞭然となった。【０００８】  また、シート（Ａ）の行の高さに合わせて、薬を入れて置くケースに仕切り（４）を配したことにより、シート（Ａ）の薬名とケース（Ｂ）の薬とを照合し易くなり、シート（Ａ）の薬名に相応する薬を枠（３）の分量に応じて容易に取り出すことができるコンパクトな薬箱となった。
【発明を実施するための最良の形態】
【０００９】    図１で示す形態を最良の形態とする。すなわち、列の見出しに薬の服用時間を記入又は貼付できる枠（１）と行の見出しに薬名を記入又は貼付できる枠（２）と用量を記入又は貼付できる枠（３）とから成るシート（Ａ）と、シート（Ａ）の行の高さに合わせて、薬を入れて置くケースに仕切り（４）を配したケース（Ｂ）とから成る薬箱とする。【００１０】  シート（Ａ）の枠（１）と同じ列を一列置きに薄い色を塗ることで列毎の識別を容易にする。そして、シート（Ａ）の枠（２）にそれぞれ異なった記号や色を付け、枠（２）に相応するケース（Ｂ）の仕切られた場所にも同様の記号や色を付けることにより、行毎の識別を容易にする。【００１１】  シート（Ａ）の枠（１）、枠（２）、枠（３）及びケース（Ｂ）の仕切られた場所に貼付するための印字された粘着シール、印字されていない粘着シール及び色分けした粘着シールを組み合わせてシートの裏に備えるか、または別途のシートとして作成する。【００１２】  ケース（Ｂ）の上面にシート（Ａ）を置き、その上から蓋を被せる。
【実施例１】
【００１３】  使用方法は、ケースにお薬を入れる前に、シート（Ａ）の枠（１）に薬の服用時間を早い時間順に記入又は貼付する。続いて、枠（２）に薬名を薬の服用時間を早い時間順に記入又は貼付する。
次に、枠（３）に服用時間毎に薬名別に分量を記入又は貼付する。最後に、ケース（Ｂ）の仕切られた場所にシート（Ａ）の枠（２）の行に合わせて薬を置く。【００１４】  お薬を飲む時には、シート（Ａ）の枠（２）と付随する記号又は色をケース（Ｂ）の仕切られた場所の記号又は色に合わせながら服用時間に対応した枠（３）の分量の薬をケース（Ｂ）から薬名毎に順番に取り出し、服用する。
【産業上の利用可能性】
【００１５】  服用薬の保存や管理において、数種の薬袋を一つにまとめる時に利用価値の高まる薬箱である。
【図面の簡単な説明】
【００１６】
【図１】シート（Ａ）およびケース（Ｂ）の上方からの平面図である。
【図２】ケース（Ｂ）の側面図である。
【符号の説明】
【００１７】  １    枠
２    枠
３    枠
４    仕切り
Ａ    シート
Ｂ    ケース
【図１】
2007111459.tif 000003
【図２】
2007111459.tif 000004
(57)【要約】【課題】  両方向とも洗濯物を挟めるようになった両方向挟める洗濯バサミを提供する。【解決手段】  上方向を挟む事ができる片方のピンチ（１）と下方向を挟む事ができる片方のピンチ（２）に両方向を挟む事ができる共通のピンチ（３）を組み合わせたことを特徴とする。【選択図】  図１
2007111456.tif 000002
【特許請求の範囲】
【請求項１】
両方向とも洗濯物を挟めるようになった両方向挟める洗濯バサミ。
【発明の詳細な説明】
【発明の詳細な説明】
この発明は両方向とも洗濯物を挟めるようになった洗濯バサミに関するものである。
従来の洗濯バサミは洗濯ロープに添って洗濯物を挟んだり、洗濯ハンガーに吊り下げて洗濯物を挟む構造になっている為、洗濯物の下に連結して洗濯物を干すことが出来ず、洗濯物を干す枚数が多い日には干す場所に困った。
本発明は、その欠点を除くためになされたもので、それを図面について説明すれば、上方向を挟む事ができる片方のピンチ（１）と下方向を挟む事ができる片方のピンチ（２）に両方向を挟む事ができる共通のピンチ（３）を組み合わせたものである。
本発明はこのような構造であるから、洗濯物の下に連結して洗濯物が干せるようになった。また、左右の靴下や手袋、体育着の上下などを連結して干しておき、取り込むときに連結したまま取り込めば、たくさんの乾いた洗濯物の中から目的の洗濯物を両方同時に捜し出すことができて、とても便利になる。
【図面の簡単な説明】
【図１】  本発明の斜視図である。
【符号の説明】
１は上方向を挟む事ができる片方のピンチ
２は下方向を挟む事ができる片方のピンチ
３は両方向を挟む事ができる共通のピンチ
【図１】
2007111456.tif 000003
(57)【要約】【課題】従来より、理想的な鼻の形を得るには、医療整形を行うか、鼻骨に振動を与え骨の発達を促す方法があるが、前者は本人の精神的決断と肉体的苦痛を伴い、後者は結果が長期を要し実現の確証も定かでない。【解決手段】極細の鋼を鼻腔内壁面に密着するように変形させ、先端部と末端部に皮膚の保護とズレ防止の為のゴムをコ−トすることにより得られる特殊器具を鼻の内側に装着させることで、精神的決断も肉体的苦痛も無く瞬時に確実に高く整った美しい鼻の形を実現することが出来る。【選択図】図４
2007111467.tif 000002
【特許請求の範囲】
【請求項１】
ゴムでコ−トされた特殊器具を鼻の内側に装着させることで、高く整った美しい鼻の形を実現することが出来る、装脱着が簡単な鼻整形器具。
【請求項２】
極細の鋼を鼻腔内壁面に密着するように変形させ、先端部と末端部に皮膚の保護とズレ防止を目的とした天然ゴム系接着剤をコ−トすることにより得られる、鼻整形器具の製造方法。
【発明の詳細な説明】
【技術分野】
【０００１】本発明は高く整った美しい鼻を、医療整形以外で実現出来る特殊器具に関するものである。
【背景技術】
【０００２】従来、理想的な鼻の形を得るには医療整形を行うか、鼻骨に振動を与え骨の発達を促すことでより高い鼻を実現させようとする方法があった。
【発明の開示】
【発明が解決しようとする課題】
【０００３】医療整形は本人の精神的決断と肉体的苦痛を伴い、鼻骨に振動を与える方法は結果が長期を要し実現の確証も定かではない。【０００４】本発明はそれらの欠点を除く為に発明されたものである。
【課題を解決するための手段】
【０００５】本発明はゴムでコ−トされた特殊器具を鼻の内側に装着させることで、上記課題を解決することが出来る。
【発明の効果】
【０００６】本発明は上述した通りで、装脱着が容易である為、精神的決断及び肉体的苦痛を全く伴わず、又確実に理想的な鼻の形を瞬時実現出来る、従来類を見ない鼻整形器具である。
【発明を実施するための最良の形態】
【０００７】以下図面について説明するが、左右対称なので左側のみとする。【０００８】図１に示すように極細の鋼を（１）（２）（３）のように鼻腔内壁面に密着するように変形させる。【０００９】図２に示すように先端部（４）に縦型ブラスチック板（Ａ）を接着する。【００１０】図３に示すように末端部（５）をサイズに合わせカットし折り曲げる。【００１１】図４に示すように鼻腔内壁面と鋼の接触部（６）（７）に圧迫緩和とズレ防止の為の天然ゴム系接着剤をコ−トする。
【図面の簡単な説明】
【００１２】
【図１】  鋼の変形加工図
【図２】  縦型プラスチック板の接着加工図
【図３】  末端部の折り曲げ加工図
【図４】  接触部のゴムコ−ト加工図
【符号の説明】
【００１３】（Ａ）  縦型ブラスチック板
【図１】
2007111467.tif 000003
【図２】
2007111467.tif 000004
【図３】
2007111467.tif 000005
【図４】
2007111467.tif 000006
(57)【要約】【課題】体育館等で使用している清掃用布モップの塵落としは、掃除機を使うと混雑するのと時間がかかるため、揺すって塵の一部を落とすか、汚れたまま収納し、そのまま使用しているのが現状であるが、掃除機を使っての塵落としを徹底するために掃除機のヘッドを固定し、短時間で楽に塵落としができるヘッド固定器を提供する。【解決手段】掃除機のヘッドを固定することによって、掃除機を動かすのではなく、ヘッド上をモップの布部が数回通過すだけで、短時間（一本数秒）で楽にモップの塵落としができるようにする。【選択図】  図２
2007111462.tif 000002
【特許請求の範囲】
【発明の詳細な説明】
【技術分野】
【０００１】本発明は、体育館等の清掃等に使用している布モップの塵落としを、電気掃除機のヘッドを固定することによって、小労力、短時間でできるようにしたものである。
【背景技術】
【０００２】従来は、電気掃除機のヘッドを固定する器具はなかった。
【発明の開示】
【０００３】
【発明が解決しようとする課題】
【０００４】体育館等で清掃に使用している布モップは、使用する度に塵を取り除く必要があるが、掃除機で吸取るのは混雑するのと時間がかかるため、揺すって塵の一部を落とすか、汚れたまま収納し、汚れたまま使用しているのが現状であり、次第にフロア−が汚れていくという問題点があった。本発明はこの課題を解消するためになされたものである。
【課題を解決するための手段】
【０００５】掃除機のヘッドをヘッド固定器で固定し、掃除機を動かすことなく、モップの布部を２〜３回（一本数秒）ヘッド上を通すだけで塵を吸取れるようにした。
【発明の効果】
【０００６】多くのモップを使用しても、確実に塵を吸取って収納できるようになったため、常に清潔なモップが使用でき、フロア−等の塵が激減した。
【実施例１】
【０００７】電気掃除機のヘッド部分をヘッド固定器（木製でヘッド枠彫込み）のヘッドはめ込み枠部にはめ込み、掃除機を作動させたのち、モップの布部を布リ−ド添木１に沿って滑らすように２〜３回通して塵を吸取る。
【図面の簡単な説明】
【０００８】
【図１】  本発明の正面図である。
【図２】  本発明に掃除機のヘッドをはめ込んだ状態を示す。
【符号の説明】
【０００９】  １  ヘッド固定器本体
２  ヘッドはめ込み枠部
３  布リ−ド添木
４  ヘッド固定ゴム
５  掃除機のヘッド
６  吸引口
【図１】
2007111462.tif 000003
【図２】
2007111462.tif 000004
【手続補正書】
【提出日】平成17年12月16日(2005.12.16)
【手続補正２】
【補正対象書類名】特許請求の範囲
【補正対象項目名】全文
【補正方法】変更
【補正の内容】
【特許請求の範囲】
【請求項１】
電気掃除機のヘッド（吸引部）の型を合板に彫込み、その枠内に電気掃除機のヘッド（吸引部）を、逆さに固定する構造であり、板に電気掃除機のヘッドの型を彫込んだ形状を有する（ヘッド固定器）。
(57)【要約】【課題】  あて布の必要な衣類のアイロンがけ時に、アイロンをかけたい部分が見え、しかも、作業が楽になるよう、アイロンに直接、密着して取り付けられる、あて布袋を提供する。【解決手段】  側面の布の上部全体にひも通しの環を設け、両端にひも通し口を設け、側面の布の下部に舟型状の布を縫い付け、側面の布のひも通し口に、ゴムひもを通し、ゴムひもの両端を縫い合わせることで、アイロンに直接密着して取り付けられることを特徴とするあて布袋。【選択図】  図１
2007111469.tif 000002
【特許請求の範囲】
【請求項１】
側面の布の上部全体に、ひも通しの環を設け、両端にひも通し口を設け、側面の布の下部と、舟型状の布を縫い付け、側面の布のひも通し口にゴムひもを通し、ゴムひもの両端を縫い合わせた、アイロンに直接密着して取り付ける、あて布袋。
【発明の詳細な説明】
【技術分野】
【０００１】  本発明は、アイロンかけ時に、あて布を使用する場合、アイロンかけ部分が見えるよう、アイロンに直接取り付けるあて布袋に関するものである。
【背景技術】
【０００２】  従来、あて布の必要な衣類のアイロンがけは、衣類の上にあて布を置きアイロンをかける。ズボン等の長い物は、その作業を繰り返していた。
【発明の開示】
【発明が解決しようとする課題】
【０００３】  そのために、次のような問題点があった。
衣類の上にあて布を置き、アイロンをかけるため、かけたい部分が見えず、失敗することも多い。しかも、衣類を移動し、あて布を置き、アイロンをかける。この作業の繰り返しが面倒である。
本発明は以上の問題点を解決するためになされたものである。
【問題を解決するための手段】
【０００４】  側面の布の上部全体に、ひも通しの環を設け、両端にひも通し口を設け、側面の布の下部と、舟型状の布を縫い付け、側面の布のひも通し口にゴムひもを通し、ゴムひもの両端を縫い合わせたあて布袋を、アイロンに直接密着して取り付ける。
【発明の効果】
【０００５】  本発明は、アイロンに直接密着して、アイロンあて布袋を取り付けられる。したがって、アイロンかけ部分が見え、しかも、衣類のかけたい所を移動するだけなので作業が楽である。
【発明を実施するための最良の形態】
【０００６】  以下、本発明の実施形態を説明する。
（イ）側面の布（１）の上縁全体に、ひも通しの環（６）を設ける。
（ロ）ひも通しの環（６）の両端に、ひも通し口（４）・（５）を設ける。
（ハ）側面の布（１）の下部に、舟型状の布（２）を縫い付ける。
（ニ）ゴムひも（３）を、ひも通し口（４）からひも通し口（５）に通す。
（ホ）ゴムひも（３）の両端を縫い合わせることで、上部開口部（７）と側部開口部（８）のある布袋となる。
本発明は以上の構成よりなっている。
本発明を使用する時は、上部開口部（７）から、アイロン本体（９）の底面を舟型状の布（２）に置き、ゴムひも（３）をアイロン本体（９）の後部に引っ張り上げる。ゴモひも（３）で側面の布（１）が引っ張られるため、あて布袋がアイロン本体（９）に密着する。
この状態で電源のスイッチを入れて、アイロンを温め所定の温度になったら、衣類の上に、あて布袋を装着したアイロンを直接あてる。
あて布袋が、アイロン本体に密着しているので、従来のようにあて布で衣類が隠れることなくアイロンがけができる。
本発明のあて布袋を常時装着すると、あて布袋自体が、熱によって焼かれそうな感じがするが、通常のアイロンはサーモスタットがついているので、異常に高温にはならず、あて布袋の焼け焦げや火災が起きるなどの心配は生じない。また、上部開口都の周囲はゴムを通しているので、アイロン本体への装着は簡単にできる。
このように、従来生じていた問題点を簡単に解決できた画期的なアイロンあて布袋である。
【図面の簡単な説明】
【０００７】
【図１】  本体の斜視図である。
【図２】  本体の分解斜視図である。
【図３】  本体の使用時の斜視図である。
【符号の説明】
【０００８】  １  側面の布
２  舟型状の布
３  ゴムひも
４  ひも通し口
５  ひも通し口
６  ひも通しの環
７  上部開口部
８  側部開口部
９  アイロン本体
【図１】
2007111469.tif 000003
【図２】
2007111469.tif 000004
【図３】
2007111469.tif 000005
(57)【要約】【課題】従来は、カチューシャと物差しは別々だった。したがって不便だった。それを１つにして便利なカチューシャに物差し機能を加えた眉毛物差しを提供する。【解決手段】カチューシャ１の中央部より左右対称な物差し２を付けることを特徴とする。【撰択図】図１【特許請求の範囲】
【請求項１】
カチューシャに物差を付けた眉毛物差。
【発明の詳細な説明】
【技術分野】
【０００１】  この発明は、カチューシャにメモリを付けた眉毛物差に関するものである。
【背景技術】
【０００２】  従来、カチューシャと物差は、別々になっていた。
【発明の開示】
【発明が解決しようとする課題】
【０００３】  これはつぎのような問題点があった。
眉毛を引くとき、左右の形が異なる眉毛になることが多く困っていた。
本発明は、以上のような欠点をなくすためになされたものである。
【課題を解決するための手段】
【０００４】  カチューシャの中央部分に左右対称なメモリを付け物差とする。
以上の構成よりなるカチューシャに物差を付けた眉毛物差である。
【発明の効果】
【０００５】  カチューシャに物差機能が付いているので、眉山に眉毛物差を固定し、美しい眉を作ればよい。
物差を中央より丸く曲げても眉毛物差はできる。
数字の変わりに、左右対称な記号や絵に変えでもよい。
【発明実施するための最良の形態】
【０００６】  以下、本発明の実施例について説明する。
カチューシャ▲１▼の中央部分を、物差▲２▼にする。
本発明は、以上のような構造でこれを使用するときは、カチューシャと物差が一体になった眉毛物差を、顔の正中ゼロｃｍに合わせ、眉毛の上を上下移動すると左右の眉の違いがわかる。
正中に、ゼロｃｍをあわせ眉山に固定し、美しい眉毛を作ればよい。
【図面の簡単な説明】
【０００７】
【図１】  本発明の斜視図である。
【符号の説明】
【０００８】  １カチューシャ
２物差
【図１】
2007111464.tif 000002
【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
カチューシャに物差し機能を加えた眉毛物差し
【手続補正２】
【補正対象書類名】明細書
【補正対象項目名】全文
【補正方法】変更
【補正の内容】
【発明の詳細な説明】
【技術分野】
【０００１】この発明は、カチューシャに物差し機能を加えた眉毛物差しに関するものである。
【背景技術】
【０００２】従来、カチューシャと物差しは別々になっていた。
【発明の開示】
【発明が解決しようとする課題】
【０００３】これはつぎのような問題点があった。
眉毛を引く時、左右の形が異なる眉毛になる事が多く困っていた。
本発明は、以上のような欠点をなくすためになされたものである。
【課題を解決するための手段】
【０００４】中央部より左右対称のメモリを付けた物差しを、頭部に作る。
頭の大小選ばず使用可能な物を作る。
以上の構成よりなる、カチューシャに物差し機能を加えた眉毛物差しである。
【発明の効果】
【０００５】カチューシャにメモリ機能を加える。
カチューシャ形の復元力、は頭の大小選ばず使用可能であり、頭部に掛けることにより両手は異なる作業が可能となる。
眉山に眉毛物差しを固定し美しい眉をつくる。
物差しを、中央部より丸く曲げても眉毛物差しはつくれる。
数字の代用として、左右対称な記号や絵等を加えることにより、カチューシャ等と使用できる。
【発明を実施するための最良の形態】
【０００６】以下、本発明の実施例について説明する。
カチューシャ１の中央部に、物差し２のメモリをつける。
カチューシャの中央部をゼロｃｍに定め、中央部より左右対称な数字、記号絵等を書き入れる。
本発明は、以上のような構造でこれお使用するときは、カチューシャと物差しが一体となった眉毛物差しを、顔の正中線上ゼロｃｍに合わせ、眉毛の上を上下移動することのより、左右の、眉毛の、形の、違いがわかる。
眉毛物差しを眉山に固定し、綺麗な眉毛を作ればよい。
【図面の簡単な説明】
【０００７】
【図１】本発明の斜視図である。
【符号の説明】
【０００８】  １カチューシャ
２物差し
(57)【要約】      （修正有）【課題】従来の枕では真ん中のふくらみのある部分に頭を当てていたため首が前に圧迫されて苦しかった欠点を有していたのでこれを改善する枕を提供する。【解決手段】筒型の枕カバーに２個の内枕を左右より入れる。【選択図】図１
2007111470.tif 000002
【特許請求の範囲】
【請求項１】
枕カバーで、２つの枕をひとつに合体した枕
【発明の詳細な説明】
【発明の詳細な説明】
この発明は枕カバーで２つの枕をひとつに合体させた枕に関するものである。
従来の枕は真ん中のふくらみのある部分に頭を当てていたために首が前に圧迫されて苦しかった。この発明はその欠点を除くためになされたもので、これを図面について説明すれば  図１、中心部ミシン目を入れた筒状の枕カバーを作り左右より内枕１．２を入れる
図２、のように枕カバーのへりを巻入れて完成。
上向きに寝る時は図２Ａに頭をのせる、左右の内枕より頭が支持されて首が圧迫されずしっかりと固定される。寝返りをして横向きの時は図２ＡＢどちらでも良い。
内枕の中綿はポリ綿、羽毛、そば殼、低発泡ウレタン、その他何でも適合するものであればよい
【図面の簡単な説明】
【図１】    本発明の部品と組立方
【図２】    本発明の完成図
【図３】    本発明の写真
【符号の説明】
Ａ内枕合体部のへこみ
Ｂ内枕の中心部
【図１】
2007111470.tif 000003
【図２】
2007111470.tif 000004
【図３】
2007111470.tif 000005
(57)【要約】      （修正有）【課題】足元が拭き布を踏み入れ、床を清掃するとした下半身を鍛える拭き掃除用の履物を提供する。【解決手段】履物Ａの靴底下面１に拭き布を付着する。また、履物Ａの靴底の形状としては、靴底上面に足裏ツボの位置に合う突起を形成する。なお、突起Ａの形状としては拭き布を付着することが出来る形状のものが考えられる。【効果】履物の材質は弾力性があるので、足元にぴったりしているから、歩き回りやすい。掃除するときに、足が履物の大きさにしている拭き布の上に踏め入ればよい。拭き布は使い捨てのものを利用するとよいので、環境保全に関する義務を果たせた。履物の靴底下面が凸凹をしているから、床に滑り止め防止の効果もある。拭き布を使用しているから、液体や固体などの汚れを簡単に拭き取れる。【選択図】図１
2007111466.tif 000002
【特許請求の範囲】
【請求項１】
履物（Ａ）の靴底下面（１）に拭き布を付着することを特徴とする拭き掃除用の履物。
【発明の詳細な説明】
【技術分野】
【０００１】    本発明は、足元が拭き布を踏み入れ、床を清掃するとした下半身を鍛える拭き掃除用の履物に関するものである。
【背景技術】
【０００２】  従来の床を清掃するスリッパとは、靴底の形状が長方形と形成している４箇所の角に、ほこり吸着シートを装着する止め具を設けたものである。
使用する時に、市販のほこり吸着シートを取り付ける。
なお、床を拭き掃除し、足の運動になる発明が知られている。
【特許文献１】特開２００５−１４４１１１号公報
【特許文献２】特開２００５−２５３９２９号公報
【発明が解決しようとする課題】
【０００３】  そのため、次のような問題があった。
（イ）スリッパの靴底の形状が長方形となり、歩き回りにくいため、ちょっとしたものにぶつかると、体のバランスを崩し、足元や足を捻ねる可能性がある。
（ロ）掃除するときに、毎回新しいほこり吸着シートを交換するのは面倒である。
（ハ）またほこり吸着シートを使い捨てのため、環境保全に関する不憫がある。
（ニ）更に、ほこり吸着シートは摩擦係数が小さいため、靴底に付着されたスリッパを履いて歩き回ると、足が床に滑らせて転がる怪我をしてしまう。
（ホ）なお、雑巾のようなぬぐい取る布を装着することが出来ないため、液体や固体のような汚れを拭くことが出来ない欠点もある。
本発明は以上の問題点を解決するためになされたものである。
【課題を解決するための手段】
【０００４】  履物（Ａ）の靴底下面（１）に拭き布を付着するとしたものである。以上を特徴とする拭き掃除用の履物である。
また、履物（Ａ）の靴底の形状としては、後で紹介した実施例２のように、靴底上面（２）に、足裏のツボの位置に合う突起Ｂ（４）を形成したものとしてもよい。
なお、突起Ａ（３）の形状としては、拭き布を付着することが出来る形状のものも考えられる。
【発明の効果】
【０００５】（イ）履物の材質は弾力性があるので、足元にぴったりしているから、歩き回しやすい。
（ロ）掃除するときに、足が履物の大きさにしている拭き布の上に踏め入ればよい。
（ハ）拭き布は使い捨てものを利用するよいので、環境保全に関する義務を果たせた。
（ニ）履物の靴底下面に凸凹をしているから、床に滑り止め防止の効果もある。
（ホ）拭き布を使用しているから、液体や固体などの汚れを簡単に拭き取れる。
【発明を実施するための最良の形態】
【実施例１】
【０００６】  図１に基づいて実施例１を説明する
（イ）防水且つ弾力性があるゴムのような材質を履物（Ａ）の形に形成する。
（ロ）履物（Ａ）の靴底下面（１）に、数ある円錐の突起Ａ（３）を設ける。
本発明は以上の構造からなるので使用するときは、素足若しくは靴下を履いたまま両足に履物（Ａ）を履き、片足がしっかり床に立て、体の釣り合いを保ち、片足が床に履物の大きさにしている拭き布（言わば使い捨て靴下）の上に踏み入れ、真正面で体の左右１８０度半円の範囲に回動しながら床を拭き、そして足を拭き布から外して、一歩き幅で後ろに後退し床に立ちながら、体を後方へ下げる。両足が繰り返し上記の動作を交代ずつ行い、床を拭き掃除する。以上、足の働きにより、下半身を鍛える。
【実施例２】
【０００７】  図２に基づいて実施例２を説明する。
実施例１のものでは、履物（Ａ）の靴底下面（１）に円錐の突起Ａ（３）を形成している。このため、靴底上面に突起がないため、足裏のツボを刺激し、マッサージするとした相乗作用を見逃してしまった。
実施例２としては、履物（Ａ）の靴底上面（２）に足裏のツボ位置に合う突起Ｂ（４）を設ける。
以上の構造であるから、下半身を鍛えると共に足裏のツボを刺激し、マッサージすることで足の疲れを解消する相乗効果を得られる健康づくりである。
【図面の簡単な説明】
【０００８】
【図１】  本発明底面の斜視図
【図２】  本発明上面の斜視図
【符号の説明】
【０００９】  Ａ  履物
１  靴底下面
２  靴底上面
３  突起Ａ
４  突起Ｂ
【図１】
2007111466.tif 000003
【図２】
2007111466.tif 000004
(57)【要約】【課題】運動靴のつま先内部の洗いづらさや不快感を解消し効率よく、汚れ落ちも良く洗うことのできる運動靴の洗浄具を提供する。【解決手段】柄の延長にブラシやたわしなどの洗浄材を有するベースを設け、そのベースから前記柄にかけての範囲の適宜位置の上面と下面とを連通する長穴を形成した本体と、把持部材と前記長穴内を移動可能な径を有する軸と、滑り止め効果のある軸受けとからなる補助棒とで構成されていることを特徴とする運動靴の洗浄具。【選択図】  図１
2007111446.tif 000002
【特許請求の範囲】
【請求項１】
柄の延長にブラシやたわしなどの洗浄材を有するベースを設け、そのベースから前記柄にかけての範囲内の、適宜位置の上面と下面とを連通する長穴を形成した本体と、把持部材と前記長穴内を移動可能な径を有する軸と、滑り止め効果のある軸受けとからなる補助棒とで構成されていることを特徴とする運動靴の洗浄具。
【発明の詳細な説明】
【技術分野】
【０００１】本発明は運動靴を洗うのに適した洗浄具に関するものである。
【背景技術】
【０００２】従来の運動靴用洗浄具としては、柄の一方にたわし状のものや、ブラシ状のものが取り付けられているものが知られており、又販売もされている。
【発明の開示】
【発明が解決しようとする課題】
【０００３】しかしこれらの洗浄具で運動靴のつま先内部を洗おうとすると、ブラシ部先端をつま先内部の鋭角状部分やＲ形状の部分に押し付けながら、汚れをかき出すといったような細かな手の動きになる。ブラシを前後に動かすのとは違い鋭角状やＲ形状に合わせて動かすので柄を持つ手首がぶれ、力が入れづらくぎこちない動きになり、思うようにブラシを動かすことができない。その為、きれいに洗ったという満足感が得られないばかりでなく汚れ落ちもよくなかった。【０００４】この発明の目的は、これらの洗いづらさや不快感を解消し、効率よく、汚れ落ちも良く洗う事のできる運動靴の洗浄具を提供する事である。
【課題を解決するための手段】
【０００５】上記の目的を達成するために本発明は、柄の延長にブラシやたわしなどの洗浄材を有するベースを設け、そのベースから前記柄にかけての範囲内の、適宜位置の上面と下面とを連通する長穴を形成した本体と、把持部材と前記長穴内を移動可能な径を有する軸と、滑り止め効果のある軸受けとからなる補助棒とで構成されていることを特徴とする運動靴の洗浄具を提供する。
【発明の効果】
【０００６】補助棒の軸を起点として柄を持ちブラシ部を洗浄部分に押し付けながら前後、左右に動かすだけでブラシ部が運動靴内を洗浄できるので腕や手首の疲労が軽減され、汚れ落ちも良く洗いづらさやいらだちが解消される。本体から補助棒をはずすことで外周面は従来の物と同様に使用し洗う事ができる。
【発明を実施するための最良の形態】
【０００７】図３及び図４は本発明に係る運動靴の洗浄具の実施例を示し、図１は本体と補助棒とを組み合わせた部分省略略斜視図、図２は本体平面図である。【０００８】ブラシ部のベースから柄にかけて、軸２が移動可能な長穴６が形成されている。柄４を左右に動かすことで、軸２を起点としたブラシ部５がつま先に押し付けられながら左右に動くことで洗浄される。その際、把持部１を上から押しつけることにより運動靴８が固定され洗浄ブラシ本体での作業を容易にしてくれる。ブラシ本体をそのまま上に上げながらつま先内側の上部を前後に動かして洗うことができる。また運動靴内部の底や側面の洗浄はつま先部分同様に補助棒の把持部材を上から押し付けた状態で前後に擦りつける。また外部の洗浄は本体から補助棒を取り外して行うことができる。【０００９】把持部１は握りやすい大きさであり、軸２は長穴６内をスムーズに動くような径である。また、軸受け３は滑りにくい材質、形状とすることによりブラシ本体をスムーズに動かすことができ、従来の洗浄具での作業に比べ洗いづらさや不快感、汚れ落ちの悪さを解消することができる。
【図面の簡単な説明】
【００１０】
【図１】本体と補助棒を組み合わせた部分省略斜視図である。
【図２】本体平面図である。
【図３】本発明の実施形態を示す図で、図４のａ−ａ断面図である。
【図４】本発明の実施の形態を示す図で部分省略平面図である。
【符号の説明】
【００１１】１  把持部
２  軸
３  軸受け
４  柄
５  ブラシ部
６  長穴
７  ブラシ部のベース
８  運動靴
【図１】
2007111446.tif 000003
【図２】
2007111446.tif 000004
【図３】
2007111446.tif 000005
【図４】
2007111446.tif 000006
(57)【要約】【課題】  ゴルフスウィングの練習において、通常のゴルフ練習用マットを使用したスウィングではクラブヘッドの軌道は必ずしも理想的な軌道を描いていない場合が多い。【解決手段】本発明品を使用すれば、クラブヘッドが障害物を避けたスウィング軌道となり、正確なストレートボールを打つことを早期に習得できる。【選択図】    図１
2007111447.tif 000002
【特許請求の範囲】
【請求項１】
ゴルフ練習用マットの上に５個以上の障害物を設置したゴルフ練習用マット。
【請求項２】
５個の障害物は野球のホームベースに類似した変則５角形の各頂点の位置に設置する。
【請求項３】
障害物は正規のゴルフボールまたはその模造品でマットに固定されている。
【発明の詳細な説明】
【技術分野】
【０００１】  本発明はゴルフスウィングの練習時にクラブヘッドが正確な軌道を描くことを早期に習得するための器材である
【背景技術】
【０００２】  従来ゴルフスウィングの練習としては一般の練習用マットの上に置いたボールを打ことが多いが、クラブヘッドの軌道が正確であったか否かは不明である。
【発明の開示】
【発明が解決しようとする課題】
【０００３】  本発明は、クラブヘッドが理想的かつな正確な軌道を描くことがようなスウィングを強制的に習得できるようにするためのゴルフスウィング練習用マットである。
【課題を解決するための手段】
【０００４】  本発明のゴルフスウィング原理マットを使用しスウィングをすれば、クラブヘッドが正確な軌道から外れた場合は障害物に衝突することとなる。【０００５】  クラブヘッドが障害物に当たらないスウィングの場合は、クラブヘッドの芯がボールの中心に当たり、ボールはストレートボールとなって飛んで行くことになる。
【発明の効果】
【０００６】  このスウィング原理マットを用いれば、ゴルフスウィングはクラブヘッドが理想的かつ正確な軌道を描くことで容易に習得でききる。
【発明を実施するための最良の形態】
【０００７】  一般のゴルフ練習用マットに、野球のホームベースに類似した変則５角形の各頂点に５個の障害物を設置する。【０００８】  障害物を通常のゴルフボールまたはその模造品とすると見た目に違和感がない、また障害物にクラブヘッドが衝突した場合にもクラブヘッドを損傷しない。【０００９】  本発明品の障害物を左右対称に設置すると、右利き左利き共通の器材となる。
【実施例】
【００１０】  図３は本発明のゴルフスウィングマットの平面図であり、５個の障害物は野球のホームベースに類似した変則５角形の各頂点に設置してある。
【図面の簡単な説明】
【００１１】
【図１】  本発明品の平面図
【図２】  本発明品の側面図
【図３】  ５個の障害物の設置位置
【図４】  打球となるゴルフボールの位置、ボールの軌道および正確なクラブヘッドの軌道
【符号の説明】
【００１２】  １    ゴルフ練習用マット
２    マットに設置された５個の障害物
３    打球となるゴルフボール
４    正確なクラブヘッドの軌道
５    打球されたボールの軌道
【図１】
2007111447.tif 000003
【図２】
2007111447.tif 000004
【図３】
2007111447.tif 000005
【図４】
2007111447.tif 000006
(57)【要約】      （修正有）【課題】クランプ作業に両手が必要な為、品物を持っている事ができず、クランプしたら、ズレたり、他人の手を借りたりしなければならなかった。片手で品物を持ちながら、もう一方の片手だけでクランプ出来るシャコ万力を、提供する。【解決手段】本体フレーム１上部に、握り部７を設け、親指と人差し指の、届く範囲に締め付けナット３を設け、クランプボルト２が、回らないように回り止めプレート６を取り付けた。以上の構成により、片手でクランプ出来るシャコ万力が提供出来た。【選択図】図２
2007111850.tif 000002
【特許請求の範囲】
【請求項１】
本体フレーム（１）に握り部（７）を設け、握り部から親指と人差し指が、とどく範囲に、締め付けナット（３）を設け、クランパーボルト（２）に、回り止め（６）を施した、片手クランプ出来るシャコ万力。
【発明の詳細な説明】
【技術分野】
【０００１】この発明は片手で本体フレームを持ち、その手の、親指と人差し指で、ナットを回してクランプ出来る、シャコ万力に関するものである。
【背景技術】
【０００２】従来、シャコ万力で品物をクランプする時は、片手で本体フレームを持ち、もう一方の片手で、ネジ上部のレバーを回してクランプしていた。
【発明の開示】
【発明が解決しようとする課題】
【０００３】これは次のような欠点があった。
クランプ作業に両手が必要な為、品物を持っている事ができず、クランプしたら、ズレたり、他人の手を借りたりしなけらばならなかった。
本発明は以上のような欠点をなくす為になされたものである。
【課題を解決するための手段】
【０００４】本体フレーム（１）の上部に握り部（７）を設け、親指と人差し指が、届く範囲に、締め付けナット（３）を設ける。
クランプボルト（２）が、回らないように回り止めプレート（６）を取り付ける。
本発明は以上のような構成よりなる、片手クランプ出来るシャコ万力である。
【発明の効果】
【０００５】片手クランプ出来るので、品物を片手で持ちながらクランプでき、ズレたり、他人の手を借りなくても確実な作業が出来るようになった。
【発明の実施をするための最良の形態】
【０００６】以下、本発明を実施するための最良の形態について説明する。
本体フレーム（１）上部に、中指、薬指、小指で握れる、握り部（７）を設け、親指と人差し指が届く範囲に、締め付けナット（３）を設ける。締め付けナットにはローレット加工などすべり止め加工をしておく、クランパーボルトが締め付けナットと一緒に回らないよう、ネジ部に面取り（８）を施し、回り止めプレート（６）を取り付ける。
クランプ時には上部にスラスト荷重が掛かるので、締め付けナット（３）の上に、スラストワシャーを入れるとよい、
指の力だけでは、クランプ力が弱い為、ある程度締め付けて、品物がズレ無くなってから手を離し、増す締めできるよう締め付けナット（３）に、増す締め用棒の差し込める穴（４）を、４箇所ほど加工しておく
【図面の簡単な説明】
【図１】本発明品の平面図である。
【図２】本発明品の正面断面図である。
【符号の説明】
１  本体フレーム
２  クランパーボルト
３  締め付けナット
４  増す締め棒差込穴
５  スラストワシャー
６  ネジ回り止めプレート
７  握り部
８  ネジ面取り部
【図１】
2007111850.tif 000003
【図２】
2007111850.tif 000004
(57)【要約】【課題】高所作業をし易くするために、落下防止機能と本体の軽量化を可能とする。【解決手段】本発明は、本体１とバッテリー２をワイヤー入り螺旋状電気コード３で、繋ぎ、バッテリー２をフック４で腰ベルト５に装着することにより、本体１が軽量化される。又、高所作業中に誤って本体１を放しても、ワイヤー入り螺旋状電気コード３が落下防止機能を果たすので、本体１が落ちることが無く高所作業や片手作業がしやすくなる。【選択図】図2
2007111857.tif 000002
【特許請求の範囲】
【請求項１】
バッテリーと本体を、ワイヤー入りの螺旋状電気コードでつないだ充電式電動工具。
【請求項２】
腰ベルトにバッテリーを装着する充電式電動工具。
【発明の詳細な説明】
【技術分野】
【０００１】
本発明は、落下防止機能と本体の軽量化を可能にした、充電式電動工具に関するものである。
【背景技術】
【０００２】
従来は、落下防止機能がなく、本体とバッテリーが一体化された重い充電式電動工具しかなかった。（非特許文献１参照）
【非特許文献１】日立工機株式会社  日立電動工具総合カタログ２００６−４、ｐ６
【発明の開示】
【発明が解決しようとする課題】
【０００３】
従来の充電式電動工具は、非常に重く落下の恐れがある事で、高所作業や片手作業がし辛かった。本発明は、この課題を解消するためになされたものである。
【課題を解決するための手段】
【０００４】
本発明は、高所作業や片手作業をしやすくするために、落下防止と本体の軽量化を可能にした充電式電動工具で、それを図面で説明すると、本体１とバッテリー２をワイヤー入り螺旋状電気コード３で繋ぎバッテリー２に接続されたフック４を腰ベルト５に装着したものである。
【発明の効果】
【０００５】
このようにすれば、本体からバッテリーが離れることで軽量化され、腰に装着したバッテリーと本体がワイヤー入り螺旋状電気コードで繋がる事で落下防止機能を果たし、高所作業や片手作業がしやすくなる。
【発明を実施するための最良の形態】
【０００６】
従来の充電式電動工具は、本体とバッテリーが一体化されていたため非常に重かった。本発明は、本体１とバッテリー２をワイヤー入り螺旋状電気コード３で、繋ぎ、バッテリー２をフック４で腰ベルト５に装着することにより、本体１が軽量化される。又、高所作業中に誤って本体１を放しても、ワイヤー入り螺旋状電気コード３が落下防止機能を果たすので、本体１が落ちることが無く高所作業や片手作業がしやすくなる。
【図面の簡単な説明】
【０００７】
【図１】充電式電動工具の側面図である。
【図２】使用者の腰ベルトに装着している図である。
【符号の説明】
【０００８】
１  本体
２  バッテリー
３  ワイヤー入り螺旋状電気コード
４  フック
５  腰ベルト
【図１】
2007111857.tif 000003
【図２】
2007111857.tif 000004